(57)【要約】【課題】オンエアまたはオンエアに備えるカメラの構図決めをする際に、操作対象のカメラを切替える操作を不要とし、素早く構図決めをする事ができるカメラコントローラを提供すること。【解決手段】複数の撮像装置を制御可能な、撮像装置用コントローラにおいて、撮像装置に対して映像選択信号の状態を問合せる映像選択信号状態問合せステップと、前記映像信号状態問合せ手段から得られた撮像装置の映像信号状態を判別する映像選択信号状態判別ステップと、撮像装置の映像選択信号が非選択状態になった事を検知したら、他の撮像装置へ操作対象を切替える操作対象撮像装置切替えステップとからなる操作対象撮像装置切替え手順を有する事を特徴とする撮像装置用コントローラ。【選択図】図１
2013162501.tif 000002
【特許請求の範囲】
【請求項１】
複数の撮像装置を制御可能な、撮像装置用コントローラであって、
複数の撮像装置に対して映像選択信号の状態を問合せる映像選択信号状態問合せステップと、
前記映像信号状態問合せ手段から得られた撮像装置の映像信号状態を判別する映像選択信号状態判別ステップと、
撮像装置の映像選択信号が非選択状態になった事を検知したら、他の撮像装置へ操作対象を切替える操作対象撮像装置切替えステップとからなる操作対象撮像装置切替え手順を有する事を特徴とする撮像装置用コントローラ。
【請求項２】
前記映像選択信号状態判別ステップにおいて、撮像装置の映像選択信号が非選択状態になった事を検知したら、映像選択信号が選択状態になっている撮像装置を検索する映像選択信号撮像装置検索ステップを有し、
前記操作対象撮像装置切替えステップは、映像選択信号が選択状態となっている撮像装置へ操作対象を切替える事を特徴とする請求項１に記載の撮像装置用コントローラ。
【請求項３】
前記映像選択信号状態判別ステップは第一の映像選択信号が非選択状態になった事を検知し、
前記映像選択信号撮像装置検索ステップは、第一の映像選択信号が選択状態である撮像装置を検索し、
前記操作対象撮像装置切替えステップは、第一の映像選択信号が選択状態の撮像装置へ操作対象カメラを切替える事を特徴とする請求項２に記載の撮像装置用コントローラ。
【請求項４】
前記映像選択信号状態判別ステップは前記第一の映像選択信号と異なる第二の映像選択信号が非選択状態になった事を検知し、
前記映像選択信号撮像装置検索ステップは、第二の映像選択信号が選択状態である撮像装置を検索し、
前記操作対象撮像装置切替えステップは、第二の映像選択信号が選択状態の撮像装置へ操作対象撮像装置を切替える事を特徴とする請求項２に記載の撮像装置用コントローラ。
【請求項５】
前記映像選択信号状態判別ステップは前記第一の映像選択信号と異なる第二の映像選択信号が非選択状態になった事を検知し、
前記映像選択信号撮像装置検索ステップは、第一の映像選択信号が選択状態である撮像装置を検索し、
前記操作対象撮像装置切替えステップは、第一の映像選択信号が選択状態の撮像装置へ操作対象撮像装置を切替える事を特徴とする請求項２に記載の撮像装置用コントローラ。
【請求項６】
前記映像選択信号撮像装置検索ステップにおいて、映像選択信号が選択状態である撮像装置が見つからなかった場合、接続可能な撮像装置の映像選択信号が選択状態になる事を監視する映像選択信号状態監視ステップを有し、
前記操作対象撮像装置切替えステップ、前記映像信号状態監視ステップにおいて接続可能な撮像装置の映像選択信号が選択状態になる事を検知したら、映像選択信号が選択状態となった撮像装置へ操作対象撮像装置を切替える事を特徴とする請求項２に記載の撮像装置用コントローラ。
【請求項７】
操作対象撮像装置切替え後に、操作対象撮像装置の位置情報を初期操作指令値に設定する初期操作指令値設定ステップを有する事を特徴とする請求項１乃至請求項６の何れか一項に記載の撮像装置用コントローラ。
【請求項８】
前記映像選択信号状態判別ステップにおいて、撮像装置の映像選択信号が非選択状態になった事を検知したら、初期設定位置を読み出し、初期設定位置へ移動させるための指令値を撮像装置へ送信する初期設定位置指令ステップを有する事を特徴とする請求項１乃至請求項７の何れか一項に記載の撮像装置用コントローラ。
【発明の詳細な説明】
【技術分野】
【０００１】
本発明は、撮像装置のズーム・フォーカスを駆動指令するコントローラに関し、特には撮像装置が複数ある場合に、コントローラの操作対象となる１台の撮像装置の選択切替え方法に関するものである。
【背景技術】
【０００２】
従来、スタジオにおけるテレビ撮影では、レンズとカメラからなる撮像装置が複数台使用されている。１台の撮像装置に１人のカメラマンが配置され、各カメラマンそれぞれの撮像装置に接続されたコントローラを使用して、ズーム・フォーカスを動かし、撮影シーンに応じた映像作りを行う。また、スタジオの外にビデオエンジニアのいる調整室があり、ビデオエンジニアはカメラマンに撮影すべき構図を指示しながら、複数台の撮像装置から出力される映像信号から１つの映像信号を選択し（以降、映像選択と称す）、放送出力を行う。（以降、放送出力をオンエアと称す）ビデオエンジニアが切替える映像選択の状態は信号（以降、映像選択信号と称す）として、撮像装置に送られ、撮像装置上にある表示器に表示される。カメラマン等スタジオにいる人は、この表示器の点灯により、現在どの撮像装置の映像が放送されているかが分かるようになっている。
【０００３】
また近年では、番組の制作コストを削減するため、複数の撮像装置を少ない人数で制御する手法が考えられている。
【０００４】
例えば、特許文献１では１台のコントローラと複数のレンズ装置を無線で接続して、コントローラに設けてスイッチによって、操作するレンズ装置を切替える技術が開示されている。
【先行技術文献】
【特許文献】
【０００５】
【特許文献１】特開２００７−３１２２１７号公報
【発明の概要】
【発明が解決しようとする課題】
【０００６】
しかしながら、上述の特許文献１に開示された従来技術では、カメラマンがオンエアのカメラ、またはオンエアに備えて構図決めをするカメラへの切替え操作が必要となる。動きの激しい被写体を撮影する場合や、オンエアの映像を頻繁に切替える場合等には、カメラを切替える作業が素早く構図決めをする操作に遅延を生じさせてしまう。
【０００７】
また、操作するカメラを切替えた時に、前回操作し終わった状態から、再度構図を決め直す操作が必要となり、構図を決めるまでに多くの時間を要してしまう。
そこで、本発明の目的は、オンエアまたはオンエアに備えるカメラの構図決めをする際に、操作対象のカメラを切替える操作を不要とし、素早く構図決めをする事ができる撮像装置用コントローラを提供することである。
【課題を解決するための手段】
【０００８】
上記目的を達成するために、本発明は、複数の撮像装置を制御可能な、撮像装置用コントローラにおいて、撮像装置に対して映像選択信号の状態を問合せる映像選択信号状態問合せステップと、前記映像信号状態問合せ手段から得られたカメラの映像信号状態を判別する映像選択信号状態判別ステップと、カメラの映像選択信号が非選択状態になった事を検知したら、他の撮像装置へ操作対象を切替える操作対象カメラ切替えステップとからなる操作対象撮像装置切替え手順を有した事を特徴とする。
【発明の効果】
【０００９】
本発明によれば、オンエアまたはオンエアに備えるカメラの構図決めをする際に、操作対象のカメラを切替える操作を不要とし、素早く構図決めをする事ができる撮像用コントローラを提供することができる。
【図面の簡単な説明】
【００１０】
【図１】実施例１の機能ブロック図
【図２】撮像システム全体ブロック図
【図３】実施例１のタリー信号、操作対象カメラの切り替わり表
【図４】実施例１におけるコントローラＡの処理フローチャート
【図５】実施例１におけるコントローラＢの処理フローチャート
【図６】実施例２の機能ブロック図
【図７】ズーム、フォーカスの初期設定位置
【図８】実施例２のタリー信号、操作対象カメラの切り替わり表
【図９】実施例２におけるコントローラＡの処理フローチャート
【図１０】実施例３のカメラ一覧表
【図１１】実施例３の機能ブロック図
【図１２】実施例３のタリー信号、操作対象カメラの切り替わり表
【図１３】実施例３におけるコントローラＡの処理フローチャート
【図１４】実施例３におけるレッドタリー監視モードの処理フローチャート
【図１５】実施例３におけるコントローラＢの処理フローチャート
【図１６】実施例３におけるグリーンタリー監視モードの処理フローチャート
【図１７】カメラ切替え操作部による操作カメラ切替えフローチャート
【図１８】タリー確認コマンド表
【発明を実施するための形態】
【００１１】
以下に、本発明の好ましい実施の形態を、添付の図面に基づいて詳細に説明する。
【実施例１】
【００１２】
以下、図面に従って、本発明の第１の実施例による、撮像用コントローラであるカメラコントローラの処理について説明する。
【００１３】
図２は、実施例１におけるカメラコントローラおよび、撮像システムの全体構成図である。カメラ１〜４はそれぞれ、映像信号選択装置５０と接続されている。それぞれのカメラで撮影された映像は映像信号選択装置５０へ送られる。映像信号選択装置５０は、オンエアで使用する映像を撮影するカメラを選択する装置である。映像信号選択装置５０は、オンエアで使用する映像を撮影するカメラに対して、オンエアで使用することを示すタリー信号と呼ばれる信号を送信する。この信号を受けたカメラは赤色のランプを点灯させる事が一般的であり、オンエアで使用することを示すタリー信号をレッドタリー信号と呼ぶ事にする。また、現在オンエアされている次にオンエアで使用するカメラに対してもタリー信号を送信する。この信号を受けたカメラは緑色のランプを点灯させる事が一般的であるため、グリーンタリー信号と呼ぶ事にする。
【００１４】
カメラコントローラＡ．１００およびカメラコントローラＢ．２００は、カメラを遠隔操作するためのコントローラであり、カメラに対してズームやフォーカスの指令値を送信する。本実施例ではカメラコントローラＡ．１００、カメラコントローラＢ．２００と、カメラ１〜４は、無線による通信を行っている。カメラコントローラＡ．１００、カメラコントローラＢ．２００は、操作対象カメラを１台選択して、操作対象カメラに対して操作指令値を送信する。
【００１５】
図１は、カメラ１とカメラコントローラＡ．１００の機能ブロック図である。カメラ１はレンズ部１０、撮像部２０、通信ユニット３０から構成されている。無線通信部３３は、カメラコントローラ１００から無線によって送信された操作指令のデータを受信して、通信ユニットのＣＰＵ３２へ送る。ＣＰＵ３２はレンズ部１０へ送信するためのデータへ変換を行う。操作指令のデータはシリアル通信部３１からレンズ部のシリアル通信部１４を介してレンズ部のＣＰＵ１３へ送られる。操作指令データはＣＰＵ１３からレンズ駆動部１５へ送られ、レンズ駆動部１５がフォーカスレンズ１６、ズームレンズ１７を駆動制御する。
【００１６】
映像信号選択装置５０は、撮像部２１から映像信号を受信する。カメラ１の映像をオンエアで使用する時には、映像信号選択装置５０からカメラ装置のシリアル通信部２２にレッドタリー信号が送信さる。レッドタリー信号の情報はレンズ部１０のシリアル通信部１４を介してＣＰＵ１３へ送られ、レッドタリー１１を点灯させる。グリーンタリー信号の場合は、ＣＰＵ１３がグリーンタリー１２を点灯させる。
【００１７】
カメラコントローラＡ．１００は、通信ユニット１０１、ズームデマンド２００、フォーカスデマンド３００から構成されている。操作部２０３はズームを操作するための操作部材であり、操作部２０３を操作すると、その操作量に比例した電圧がＣＰＵ２０２へ送られシリアルデータへ変換される。シリアルデータに変換された操作指令データは、シリアル通信部２０１から通信ユニット１０１のシリアル通信部１０４を介してＣＰＵ１０３へ送信される。操作指令データはＣＰＵ１０３から無線通信部１０２へ送られ、無線によってカメラ１の無線通信部３３へ送信される。フォーカスデマンド３００も、ズームデマンド２００と同様の処理を行い、操作指令データを通信ユニット１０１へ送信する。
【００１８】
図３は、各カメラにおけるタリー信号の切り替わりと、カメラコントローラの操作対象カメラの切り替わりを示した表である。図３の（Ｉ）では、カメラ１がレッドタリーＯＮ、カメラ２がグリーンタリーＯＮの状態となっている。コントローラＡ１００はレッドタリー操作用として、最初カメラ１と通信によって接続されており、カメラ１を操作可能な状態となっている。コントローラＢ２００はグリーンタリー操作用として、最初カメラ２と通信によって接続されており、カメラ２を操作可能な状態となっている。
【００１９】
コントローラがレッドタリー操作用として機能するか、グリーンタリー操作用として機能するかの設定は、コントローラに設けられた不図示のスイッチで行うようになっている。
【００２０】
次に、映像信号選択装置５０によってレッドタリー信号、グリーンタリー信号が切替えられ、各カメラのタリー信号が（II）の状態になった場合について説明する。カメラ１はレッドタリーＯＮからタリーＯＦＦ状態となったため、コントローラＡ１００はカメラ１のレッドタリー信号がＯＦＦとなった事を検知して、レッドタリーＯＮのカメラを探索する。レッドタリーＯＮがカメラ２であるので、コントローラＡ１００は接続先をカメラ２へ変更する。また、カメラ２はグリーンタリーＯＮからレッドタリーＯＮ状態となったため、コントローラＢはカメラ２のグリーンタリー信号がＯＦＦとなった事を検知して、グリーンタリーＯＮのカメラを探索する。グリーンタリーＯＮがカメラ３であるので、コントローラＢ２００は接続先をカメラ３へ変更する。
【００２１】
各カメラのタリー信号が（III）の状態になった場合も同様に、コントローラＡ１００はレッドタリーＯＮのカメラ３、コントローラＢ２００はグリーンタリーＯＮのカメラ４へ接続先を変更する。
【００２２】
図４は、カメラコントローラＡ．１００における、カメラとの通信のフローチャートである。ステップＳ１０１でカメラへタリー確認コマンドを送信する。タリー確認コマンドは図１８に示すように、タリーＯＦＦ状態は０、レッドタリーＯＮの状態では１、グリーンタリーＯＮの状態では２を返信するように決められている。ステップＳ１０２でカメラからの返信データをチェックする。レッドタリーＯＮが返信された場合はステップＳ１０８へ進み、操作指令値の送信処理を行う。レッドタリーＯＮの返信でなかった場合は、ステップＳ１０３へ進み、操作対象でない他のカメラに対してタリー確認コマンドを送信する。ステップＳ１０４ではカメラからレッドタリーＯＮの返信をチェックする。レッドタリーＯＮの返信があった場合はステップＳ１０５へ進み、レッドタリーＯＮの返信がなかった場合はステップＳ１０３へ戻り、再度タリー確認コマンドを送信する。ステップＳ１０５では、レッドタリーＯＮを返信したカメラを操作対象カメラへ切替える。ステップＳ１０６では操作対象切替え後のカメラに対して、ズーム位置、フォーカス位置の確認コマンドを送信し、ステップＳ１０７でカメラから受信したズーム位置、フォーカス位置を指令値として設定する。次にステップＳ１０８で、操作対象のカメラへズーム、フォーカスの操作指令値を送信する。
【００２３】
図５は、カメラコントローラＢ．２００における、カメラとの通信のフローチャートである。ステップＳ２０１でカメラへタリー確認コマンドを送信する。ステップＳ２０２でカメラからの返信データをチェックする。グリーンタリーＯＮが返信された場合はステップＳ２０８へ進み、操作指令値の送信処理を行う。グリーンタリーＯＮの返信でなかった場合は、ステップＳ２０３へ進み、操作対象でない他のカメラに対してタリー確認コマンドを送信する。ステップＳ２０４ではカメラからグリーンタリーＯＮの返信をチェックする。グリーンタリーＯＮの返信があった場合はステップＳ２０５へ進み、グリーンタリーＯＮの返信がなかった場合はステップＳ２０３へ戻り、再度タリー確認コマンドを送信する。ステップＳ２０５では、グリーンタリーＯＮを返信したカメラを操作対象カメラへ切替える。ステップＳ２０６では操作対象切替え後のカメラに対して、ズーム位置、フォーカス位置の確認コマンドを送信し、ステップＳ２０７でカメラから受信したズーム位置、フォーカス位置を指令値として設定する。次にステップＳ２０８で、操作対象のカメラへズーム、フォーカスの操作指令値を送信する。
【００２４】
以上のように、コントローラがカメラのタリー状態が外れた事を検知して、接続先カメラを切替える事で、カメラマンが手元で接続先のカメラを切替える操作を不要とすることができる。
【実施例２】
【００２５】
実施例２では、コントローラの操作対象をグリーンタリーＯＮカメラから、レッドタリーＯＮカメラへ切替える場合について説明する。
【００２６】
図６は実施例２におけるカメラコントローラおよび、撮像システムのシステム構成図である。実施例１に対して通信ユニット１０１の中に、ＥＥＰＲＯＭ１０６が構成されている点が異なる。ＥＥＰＲＯＭ１０６の中には、図７に示したように、各カメラのズーム・フォーカスの初期設定位置が記憶されている。本実施例では、ズーム・フォーカスの位置を０〜６００００で正規化した形で保存してある。
【００２７】
図８は、各カメラにおけるタリー信号の切り替わりと、カメラコントローラの操作対象カメラの切り替わりを示した表である。図８の（Ｉ）では、カメラ１がレッドタリーＯＮ、カメラ２がグリーンタリーＯＮの状態となっている。コントローラＡ１００はレッドタリー操作用として、最初カメラ１と通信によって接続されており、カメラ１を操作可能な状態となっている。コントローラＢ２００はグリーンタリー操作用として、最初カメラ２と通信によって接続されており、カメラ２を操作可能な状態となっている。
【００２８】
コントローラが最初レッドタリー操作用で機能するか、グリーンタリー操作用として機能するかの設定は、コントローラに設けられた不図示のスイッチで行うようになっている。
【００２９】
次に、映像信号選択装置５０によってレッドタリー信号、グリーンタリー信号が切替えられ、各カメラのタリー信号が（II）の状態になった場合について説明する。カメラ１はレッドタリーＯＮからタリーＯＦＦ状態となったため、コントローラＡはカメラ１のレッドタリー信号がＯＦＦとなった事を検知して、グリーンタリーＯＮのカメラを探索する。グリーンタリーＯＮがカメラ３であるので、コントローラＡは接続先をカメラ３へ変更する。また、カメラ２はグリーンタリーＯＮからレッドタリーＯＮ状態となったため、コントローラＢはカメラ２のグリーンタリー信号がＯＦＦとなった事を検知し、レッドタリーＯＮへ変更された事を確認し、接続先はカメラ２のまま変更しない。
【００３０】
各カメラのタリー信号が（III）の状態になった場合も同様に、コントローラＡ１００は接続先をカメラ３のままとし、コントローラＢ２００はグリーンタリーＯＮのカメラ４へ接続先を変更する。
【００３１】
図９は、カメラコントローラＡ．１００における、カメラとの通信のフローチャートである。ステップＳ３０１でカメラへタリー確認コマンドを送信する。ステップＳ３０２でカメラからの返信データをチェックする。レッドタリーＯＮが返信された場合はステップＳ３０４へ進み、カメラへズーム、フォーカスの操作指令値を送信する。レッドタリーＯＮの返信でなかった場合は、ステップＳ３０３へ進む。ステップＳ３０３では、現在操作しているカメラのズーム・フォーカス初期位置データをＥＥＰＲＯＭ１０６から読み出して、ステップＳ３０５へ進む。ステップＳ３０５では読み出したズーム・フォーカス初期位置へ移動させるための指令値データをカメラへ送信し、レッドタリーが外れたカメラのズーム・フォーカス位置を初期設定位置へ移動させておく。ステップＳ３０６では、操作対象でない他のカメラに対してタリー確認コマンドを送信する。ステップＳ３０７ではカメラからグリーンタリーＯＮの返信をチェックする。グリーンタリーＯＮの返信があった場合はステップＳ３０８へ進み、グリーンタリーＯＮの返信がなかった場合は再度ステップＳ３０６へ戻りタリー確認コマンドを再度送信する。ステップＳ３０８では、グリーンタリーＯＮを返信したカメラを操作対象カメラへ切替える。
【００３２】
ステップＳ３０９からは、グリーンタリーＯＮカメラ操作用として機能する。ステップＳ３０９で操作対象カメラへタリー確認コマンドを送信する。次にステップＳ３１０でカメラからの返信データをチェックする。グリーンタリーＯＮが返信された場合はステップＳ３１１へ進み、カメラへズーム、フォーカスの操作指令値を送信した後、ステップＳ３０９へ戻る。グリーンタリーＯＮが返信されなかった場合はステップＳ３０１へ戻り、再度レッドタリーＯＮカメラ操作用として機能する。
【００３３】
以上のように、実施例２ではグリーンタリーＯＮのカメラからレッドタリーＯＮの状態まで引き続き操作して、レッドタリーが外れた時に接続先カメラを切替えるようにした。従って、オンエアに備えた構図決めからオンエアでの構図調整まで、カメラマンが操作対象カメラの切替え作業を不要とする事ができる。また、レッドタリーが外れたカメラに対して予め設定した位置への指令値を送信しておく事で、次の構図決め作業における時間を短縮することができる。
【実施例３】
【００３４】
実施例３では、コントローラと接続できないカメラが含まれる場合について説明する。
【００３５】
図１０は、図１のカメラ１〜カメラ４における、無線通信による操作の可／不可を示した表である。例えば、カメラ４はカメラマンが肩に担いで使用する形態で運用するため、コントローラによる操作ではなく、手動で操作するような場合である。
【００３６】
図１１は実施例３におけるカメラコントローラおよび、撮像システムのシステム構成図である。実施例２に対して通信ユニット１０１の中に、カメラ切替え操作部１０７が構成されている点が異なる。カメラ切替え操作部１０７は、例えばカメラ番号が記載された押しボタン式のスイッチが並べられたものである。カメラマンが操作したいカメラを切替えたい場合、所望のカメラ番号のスイッチを押す事で、コントローラの操作対象カメラを切替えられるようになっている。
【００３７】
図１２は、実施例３における各カメラにおけるタリー信号の切り替わりと、カメラコントローラの操作対象カメラの切り替わりを示した表である。図１２の（Ｉ）では、カメラ１がレッドタリーＯＮ、カメラ２がグリーンタリーＯＮの状態となっている。コントローラＡ１００はレッドタリー操作用として、最初カメラ１と通信によって接続されており、カメラ１を操作可能な状態となっている。コントローラＢ２００はグリーンタリー操作用として、最初カメラ２と通信によって接続されており、カメラ２を操作可能な状態となっている。
【００３８】
次に、映像信号選択装置５０によってレッドタリー信号、グリーンタリー信号が切替えられ、各カメラのタリー信号が（II）の状態になった場合について説明する。カメラ１はレッドタリーＯＮからタリーＯＦＦ状態となったため、コントローラＡはカメラ１のレッドタリー信号がＯＦＦとなった事を検知して、レッドタリーＯＮのカメラを探索する。レッドタリーＯＮがカメラ２であるので、コントローラＡ１００は接続先をカメラ２へ変更する。また、カメラ２はグリーンタリーＯＮからレッドタリーＯＮ状態となったため、コントローラＢ２００はカメラ２のグリーンタリー信号がＯＦＦとなった事を検知し、グリーンタリーＯＮのカメラを探索する。グリーンタリーＯＮになっているカメラは無線操作不可のカメラ４のため、コントローラＢ．２００はカメラ切替え操作部１０７で選択されたカメラまたは、タリーＯＦＦとなっているカメラと接続する。図１２の例では、カメラ１と接続している。
【００３９】
次に、各カメラのタリー信号が（III）の状態になった場合について説明する。カメラ２はレッドタリーＯＮからタリーＯＦＦ状態となったため、コントローラＡ１００はカメラ１のレッドタリー信号がＯＦＦとなった事を検知して、レッドタリーＯＮのカメラを探索する。レッドタリーＯＮになっているカメラは無線操作不可のカメラ４のため、コントローラＡの接続先は、カメラ切替え操作部１０７で選択されたカメラまたは、カメラ２のままとしておく。また、カメラ３はタリーＯＦＦ状態からグリーンタリーＯＮ状態となったため、コントローラＢがカメラ３のグリーンタリー信号がＯＦＦとなった事を検知し、接続先をカメラ３へ切替える。
【００４０】
図１３は、カメラコントローラＡ．１００における、通常操作モードのフローチャートである。ステップＳ４０１でカメラへタリー確認コマンドを送信する。ステップＳ４０２でカメラからの返信データをチェックする。レッドタリーＯＮが返信された場合はステップＳ４０４へ進み、カメラへズーム、フォーカスの操作指令値を送信する。レッドタリーＯＮの返信でなかった場合はステップＳ４０３へ進み、接続可能カメラに対して、それぞれタリー確認コマンドを送信する。ステップＳ４０５では接続可能カメラ内にレッドタリーＯＮのカメラがあるかどうかチェックし、レッドタリーＯＮのカメラが見つかった場合はステップＳ４０７へ進み、操作対象カメラをレッドタリーＯＮのカメラへ切替えて、ステップＳ４０１へ戻る。レッドタリーＯＮのカメラが見つからなかった場合は、ステップＳ４０６へ進む。ステップＳ４０６では、カメラ切替え操作部１０７で選択されたカメラに対して、タリー確認コマンドを送信する。次にステップＳ４０８でカメラからの返信データをチェックし、タリーＯＦＦが返信されたらステップＳ４０９へ、それ以外の場合はステップＳ４１０へ進む。ステップＳ４０９では、操作対象カメラをカメラ切替え操作部１０７で選択されたカメラへ切替える。ステップＳ４１０で、レッドタリーがＯＮを常時チェックするためにレッドタリー監視モードに入る。
【００４１】
次に、レッドタリー監視モードの処理について説明する。図１４はレッドタリー監視モードのフローチャートである。ステップＳ５０１で、接続可能な各カメラに対してタリー確認コマンドを送信する。ステップＳ５０２では、レッドタリーＯＮの返信があったかチェックし、レッドタリーＯＮのカメラがあった場合はステップＳ５０３へ、なかった場合はステップＳ５０４へ進む。ステップＳ５０４で操作対象カメラへ指令値を送信し、ステップＳ５０１へ戻り、レッドタリー監視モードを継続する。ステップＳ５０３では、操作対象カメラをレッドタリーＯＮのカメラへ設定する。ステップＳ５０５では、レッドタリー監視モードを解除し、通常の操作モードへ戻る。
【００４２】
図１５は、カメラコントローラＢ．２００における、通常操作モードのフローチャートである。ステップＳ６０１でカメラへタリー確認コマンドを送信する。ステップＳ６０２でカメラからの返信データをチェックする。グリーンタリーＯＮが返信された場合はステップＳ６０４へ進み、カメラへズーム、フォーカスの操作指令値を送信する。グリーンタリーＯＮの返信でなかった場合はステップＳ６０３へ進み、接続可能カメラに対して、それぞれタリー確認コマンドを送信する。ステップＳ６０５では接続可能カメラ内にグリーンタリーＯＮのカメラがあるかどうかチェックし、グリーンタリーＯＮのカメラが見つかった場合はステップＳ６０７へ進み、操作対象カメラをグリーンタリーＯＮのカメラへ切替えて、ステップＳ６０１へ戻る。グリーンタリーＯＮのカメラが見つからなかった場合は、ステップＳ６０６へ進む。ステップＳ６０６では、カメラ切替え操作部１０７で選択されたカメラに対して、タリー確認コマンドを送信する。次にステップＳ６０８でカメラからの返信データをチェックし、タリーＯＦＦが返信されたらステップＳ６０９へ、それ以外の場合はステップＳ６１０へ進む。ステップＳ６０９では、操作対象カメラをカメラ切替え操作部１０７で選択されたカメラへ切替える。ステップＳ６１０では、タリーＯＦＦ状態のカメラへ操作対象カメラを切替える。これは、グリーンタリーがＯＦＦとなったカメラはレッドタリーＯＮの状態へ移るため、操作対象カメラを切替えないままにしておくと、レッドタリー操作用のコントローラの指令と競合するのを防ぐためである。ステップＳ６１１で、グリーンタリーがＯＮを常時チェックするためにグリーンタリー監視モードに入る。
【００４３】
次に、グリーンタリー監視モードの処理について説明する。図１７はグリーンタリー監視モードのフローチャートである。ステップＳ７０１で、接続可能な各カメラに対してタリー確認コマンドを送信する。ステップＳ７０２では、グリーンタリーＯＮの返信があったかチェックし、グリーンタリーＯＮのカメラがあった場合はステップＳ７０３へ、なかった場合はステップＳ７０４へ進む。ステップＳ７０４で操作対象カメラへ指令値を送信し、ステップＳ７０１へ戻り、グリーンタリー監視モードを継続する。ステップＳ７０３では、操作対象カメラをグリーンタリーＯＮのカメラへ設定する。ステップＳ７０５では、グリーンタリー監視モードを解除し、通常の操作モードへ戻る。
【００４４】
次に、図１７のフローチャートを用いてカメラ切替え操作部１０７によって、操作対象カメラを切替える処理について説明する。ステップＳ８０１で、カメラ切替え操作部の切替え操作をチェックし、切替え操作があったらステップＳ８０２へ進む。ステップＳ８０２では、現在接続中のカメラへタリー確認コマンドを送信する。ステップＳ８０３でカメラからの返信データをチェックし、タリーＯＦＦが返信されたらステップＳ８０４へ進む。ステップＳ８０４では、カメラ切替え操作部で設定したカメラへタリー確認コマンドを送信し、ステップＳ８０５でカメラからの返信データがタリーＯＦＦかを確認する。タリーＯＦＦが返信されたら、ステップＳ８０６へ進み、操作対象カメラをカメラ切替え操作部で切替えた番号のカメラに設定する。
【００４５】
以上のように、実施例３では接続可能なカメラ内にタリーＯＮのカメラが存在する場合は、カメラ操作部１０７でのカメラ選択状態に関わらず、タリーＯＮ状態のカメラへ優先的に操作対象カメラを切替えるようにした。また、タリーＯＮのカメラが存在しない場合は、カメラ切替え操作部１０７によって操作対象カメラを選択できるようにした。従って、タリーＯＮのカメラを操作する場合は、カメラの切替え操作を不要にできると共に、タリーＯＦＦのカメラを操作する場合は、撮影状況に応じて任意のカメラを選択して構図決めをする事ができる。
【００４６】
また、タリーＯＮ状態のカメラを操作時には、カメラ切替え操作部を誤って操作しても、タリーＯＮカメラの操作ができなくなる状態を防ぐ事ができる。
【００４７】
以上、本発明の好ましい実施形態について説明したが、本発明はこれらの実施形態に限定されず、その要旨の範囲内で種々の変形及び変更が可能である。コントローラでの操作対象はズーム・フォーカスに限定せず、パン・チルトなどの操作を含めても、本発明を適用することができる。また、実施例は無線によるコントローラで説明したが、有線によってカメラとコントローラが通信を行うシステムにおいても、本発明を適用する事ができる。
【００４８】
また、通信ユニットをレンズ部とズームデマンド・フォーカスデマンドと別構成としたが、通信ユニットをレンズ部とズームデマンド・フォーカスデマンドに内蔵する形としてもよい。
【符号の説明】
【００４９】
１００：カメラコントローラ
１０２：無線通信部
１０３：通信ユニットＣＰＵ
１０６：ＥＥＰＲＯＭ
２０２：ズームデマンドＣＰＵ
２０３：ズームデマンド操作部
３０２：フォーカスデマンドＣＰＵ
３０３：フォーカスデマンド操作部
【図１】
2013162501.tif 000003
【図２】
2013162501.tif 000004
【図３】
2013162501.tif 000005
【図４】
2013162501.tif 000006
【図５】
2013162501.tif 000007
【図６】
2013162501.tif 000008
【図７】
2013162501.tif 000009
【図８】
2013162501.tif 000010
【図９】
2013162501.tif 000011
【図１０】
2013162501.tif 000012
【図１１】
2013162501.tif 000013
【図１２】
2013162501.tif 000014
【図１３】
2013162501.tif 000015
【図１４】
2013162501.tif 000016
【図１５】
2013162501.tif 000017
【図１６】
2013162501.tif 000018
【図１７】
2013162501.tif 000019
【図１８】
2013162501.tif 000020